(57)【要約】【課題】赤外線照明装置と撮影装置本体の向きの調整が簡単かつ正確にできる照明付き撮影装置を提供することを目的とする。【解決手段】ＬＥＤ群搭載基板１２等を搭載し、撮影対象物１９に赤外光２０を照射する赤外線照明装置２２と、赤外光２０で照らされた撮影対象物１９を撮影する撮影装置本体２４とを備えたものであって、ＬＥＤ群搭載基板１２等に、赤外線照明装置２２の赤外光２０照射方向とほぼ同一の方向にレーザ光２８を発射するレーザ発光素子３０を設ける。あるいは、ＬＥＤ群搭載基板１２等に、赤外線照明装置２２の赤外光の照射方向を撮影する撮像素子を設けると共に、撮影装置本体２４が撮影した画像と撮像素子が撮影した画像とを並べて表示するモニタディスプレイとを備えた。【選択図】図１
2006098848.tif 000002
【特許請求の範囲】
【請求項１】
ＬＥＤ群搭載基板、ＬＥＤ駆動回路、制御回路を搭載し、撮影対象物に赤外光を照射する赤外線照明装置と、
赤外光で照らされた前記撮影対象物を撮影する撮影装置本体と、
前記ＬＥＤ群搭載基板、もしくは前記赤外線照明装置を固定する雲台に配設され、前記赤外線照明装置の赤外光照射方向とほぼ同一の方向にレーザ光を発射するレーザ発光素子とを備えたことを特徴とする照明付き撮影装置。
【請求項２】
ＬＥＤ群搭載基板、ＬＥＤ駆動回路、制御回路を搭載し、撮影対象物に赤外光を照射する赤外線照明装置と、
赤外光で照らされた前記撮影対象物を撮影する撮影装置本体と、
前記ＬＥＤ群搭載基板もしくは前記赤外線照明装置を固定する雲台に配設され、前記赤外線照明装置の赤外光の照射方向を撮影する撮像素子と、
前記撮影装置本体が撮影した画像と前記撮像素子が撮影した画像とを並べて表示するモニタディスプレイとを備えたことを特徴とする照明付き撮影装置。
【請求項３】
請求項２に記載の照明付き撮影装置において、
前記撮影装置本体が撮影した画像と前記撮像素子が撮影した画像を、赤外線信号に変換して前記モニタディスプレイに無線で送信するようにしたことを特徴とする照明付き撮影装置。
【発明の詳細な説明】
【技術分野】
【０００１】
本発明は、例えば、防犯カメラ、夜間観察カメラ、交通監視カメラ、駐車場監視カメラ等の撮影装置本体と赤外線照明装置とを組み合わせて使うのに好適な照明付き撮影装置に関する。
【背景技術】
【０００２】
従来から、赤外線カメラと組み合わせて使う赤外線照明装置で、複数の赤外線ＬＥＤ（Light Emitting Diode）を光源とするものは知られている。特に多数のＬＥＤを例えば、マトリクス状に配置したパネル状の光源は全体として大きな光量となることから、様々な照明として利用されている（例えば、特許文献１、特許文献２参照）。撮影対象物の高輝度照明用として、多数の赤外線ＬＥＤを縦横に配列したＬＥＤ群搭載基板が使用されている。
【特許文献１】特開平１１―１９５３０７号公報
【特許文献２】特開平１１―１９５３１７号公報
【発明の開示】
【発明が解決しようとする課題】
【０００３】
赤外線照明装置で撮影対象物に赤外光を照射してもその照射光は見えないが、これを赤外光感知カメラ等の撮影装置本体で撮影することはできる。しかし、照明装置が正確に撮影対象物を照らしていなければ、撮影は失敗する可能性大である。
赤外線照明装置から照射される赤外光は照射範囲が広がるため、撮影対象物に対して照射領域が少しずれていても撮影は可能であった。しかしながら、撮影対象物が高速で走行する車であったり、しかも車の一部を認識できる程度に精密に撮影する必要がある場合には照明光が正確に対象物に照射されていることが重要になる。照明が不足すると認識精度が下がるからである。
【０００４】
本発明は以上の課題を解決するためになされたもので、赤外線照明装置と撮影装置本体の向きの調整が簡単かつ正確にできる照明付き撮影装置を提供することを目的とする。
【課題を解決するための手段】
【０００５】
本発明の各実施例においては、それぞれ次のような構成により上記の課題を解決する。
〈構成１〉
ＬＥＤ群搭載基板、ＬＥＤ駆動回路、制御回路を搭載し、撮影対象物に赤外光を照射する赤外線照明装置と、赤外光で照らされた上記撮影対象物を撮影する撮影装置本体と、上記ＬＥＤ群搭載基板、もしくは上記赤外線照明装置を固定する雲台に配設され、上記赤外線照明装置の赤外光照射方向とほぼ同一の方向にレーザ光を発射するレーザ発光素子とを備えたことを特徴とする照明付き撮影装置。
【０００６】
ＬＥＤ群搭載基板、もしくはＬＥＤ群搭載基板を固定する雲台に設けたレーザ発光素子から発射される可視光のレーザ光を見ながら撮影装置本体の向きを調整することによって、失敗のほとんどない撮影ができる。すなわち、赤外線照明装置を撮影対象物に向けるとレーザスポットが光る。これを撮影装置本体側から見て撮影装置本体あるいは赤外線照明装置の向きを調整する。この調整処理は、赤外線照明装置と撮影装置本体の向きを撮影本番前に調整しておく作業に利用する。従って、一度、撮影装置本体あるいは赤外線照明装置の向きを正確に調整した後は、本番時は調整処理不要である。
【０００７】
〈構成２〉
ＬＥＤ群搭載基板、ＬＥＤ駆動回路、制御回路を搭載し、撮影対象物に赤外光を照射する赤外線照明装置と、赤外光で照らされた上記撮影対象物を撮影する撮影装置本体と、上記ＬＥＤ群搭載基板もしくは上記赤外線照明装置を固定する雲台に配設され、上記赤外線照明装置の赤外光の照射方向を撮影する撮像素子と、上記撮影装置本体が撮影した画像と上記撮像素子が撮影した画像とを並べて表示するモニタディスプレイとを備えたことを特徴とする照明付き撮影装置。
【０００８】
撮像素子として、例えばＣＣＤモジュールを使用する。ＣＣＤモジュールは解像度の低い安価なものでよい。ＣＣＤモジュールで撮影した画像を、例えば、モニタディスプレイの上半分に表示し、撮影装置本体で撮影した画像をモニタディスプレイの下半分に表示する。両者を見比べて赤外線照明装置及び撮影装置本体を適宜動かして向きを調整する。本番の撮影前の調整なので、一度、赤外線照明装置及び撮影装置本体の向きを正確に調整した後は、本番時の調整不要である。
【０００９】
〈構成３〉
構成２に記載の照明付き撮影装置において、上記撮影装置本体が撮影した画像と上記撮像素子が撮影した画像を、赤外線信号に変換して上記モニタディスプレイに無線で送信するようにしたことを特徴とする照明付き撮影装置。
【００１０】
赤外線照明装置及び撮影装置本体の向きの調整作業を簡易に行うことができる。
【発明を実施するための最良の形態】
【００１１】
以下、本発明の実施の形態を説明する。
【実施例１】
【００１２】
図１は実施例１の照明付き撮影装置を示すブロック図、図２は同撮影装置に使用される赤外線照明装置を示す正面図、図３は同撮影装置の使用態様を示す説明図である。
図１において、実施例１の照明付き撮影装置は、撮影対象物に赤外光２０を照射する赤外線照明装置２２と、赤外光２０で照らされた撮影対象物を撮影する撮影装置本体２４と、レーザ光２８を発射するレーザ発光素子３０とを備えている。
【００１３】
赤外線照明装置２２は、ケース１１内に、ＬＥＤ群搭載基板１２、ＬＥＤ駆動回路１４、制御回路１５、電源１８をそれぞれ搭載してなるものである。制御回路１５は、ＬＥＤ駆動回路１４によるＬＥＤの発光強度が安定するように制御するために設けられている。電源１８は、ＬＥＤ駆動回路１４、制御回路１５、レーザ発光素子３０をそれぞれ動作させるための電源である。赤外線照明装置２２と撮影装置本体２４とは、互いに近傍に配置され、ケーブル等を介して同期接続されている。
【００１４】
図２に示されるように、赤外線照明装置２２のＬＥＤ群搭載基板１２は、例えば、縦が約１５ｃｍ、横が約１０ｃｍの四辺形をなすボードに、赤外線ＬＥＤ１３を、２０列、２０行で計４００個を配列して構成されている。符号１６はＬＥＤ群搭載基板１２の取付け用貫通孔を示し、同基板の四隅に設けられている。また、符号１７は、ＬＥＤ群搭載基板１２の電路、すなわちＬＥＤ駆動回路１４や電源１８に連結される電気端子を示している。
【００１５】
レーザ発光素子３０は、図２に示されるように、ＬＥＤ群搭載基板１２の隅部等の任意の位置に配設されている。但しＬＥＤ発光光軸とポインターの光軸が平行となるよう固定されている。レーザ発光素子３０は、赤外線照明装置２２を固定する雲台２６に配設されてもよい。状況に応じて適宜位置決めされる。雲台２６は三脚２７を有する周知の構成をなすものである。
【００１６】
図３に示されるように、赤外線照明装置２２を撮影対象物１９に向けて赤外光２０を発射すると共に、レーザ発光素子３０からも可視光のレーザ光２８を発射する。このとき、レーザ発光素子３０から発射されるレーザ光２８は、赤外線照明装置２２の赤外光２０照射方向とほぼ同一の方向、好ましくは赤外光２０の照射領域のほぼ中心に向けられている。
【００１７】
レーザ発光素子３０から発射される可視光のレーザ光２８を見ながら照明装置あるいは撮影装置本体２４の向きを調整する。すなわち、赤外線照明装置２２を撮影対象物１９に向けるとレーザスポットが光る。これを撮影装置本体２４側から見て撮影装置本体２４の向きを調整する。従って、照明による失敗のない撮影ができる。
【実施例２】
【００１８】
図４は、実施例２の照明付き撮影装置を示す説明図であり、実施例１と同一部分には同一符号を付して重複説明を省略する。
図４において、実施例２の照明付き撮影装置は、撮影対象物に赤外光２０を照射する赤外線照明装置２２と、赤外光２０で照らされた撮影対象物を撮影する撮影装置本体２４と、赤外線照明装置２２のＬＥＤ群搭載基板１２に配設される撮像素子３４と、撮像素子３４が撮影した画像３７と撮影装置本体２４が撮影した画像３８とを並べて表示するモニタディスプレイ３６とを備えている。撮像素子３４はＬＥＤ群搭載基板１２を固定する雲台２６に配設されてもよい。いずれにしても、撮像素子３４は赤外線照明装置２２の赤外光の照射方向を撮影するようにされている。
【００１９】
撮像素子３４としては、ＣＣＤモジュールが使用される。このＣＣＤモジュールは解像度の低い安価なものでよい。
ＣＣＤモジュールで撮影した画像３７は、例えば、モニタディスプレイ３６の上半分に表示される。撮影装置本体２４で撮影した画像３８はモニタディスプレイ３６の下半分に表示される。両者を見比べながら赤外線照明装置２２及び撮影装置本体２４を適宜動かして向きを調整する。
【００２０】
撮影装置本体が撮影した画像３８と撮像素子が撮影した画像３７とは、赤外線信号に変換されてモニタディスプレイ３６に無線で送信するようにしてもよい。このようにした場合には、赤外線照明装置２２及び撮影装置本体２４の方向調整の作業が簡易である。
【図面の簡単な説明】
【００２１】
【図１】実施例１の照明付き撮影装置を示すブロック図である。
【図２】同撮影装置に使用される赤外線照明装置を示す正面図である。
【図３】同撮影装置の使用態様を示す説明図である。
【図４】実施例２の照明付き撮影装置を示す説明図である。
【符号の説明】
【００２２】
１１  ケース
１２  ＬＥＤ群搭載基板
１３  赤外線ＬＥＤ
１４  ＬＥＤ駆動回路
１５  制御回路
１６  取付け用貫通孔
１７  電子端子
１８  電源
１９  撮影対象物
２０  赤外光
２２  赤外線照明装置
２４  撮影装置本体
２６  雲台
２７  三脚
２８  レーザ光
３０  レーザ発光素子
３４  撮像素子
３６  モニタディスプレイ
【図１】
2006098848.tif 000003
【図２】
2006098848.tif 000004
【図３】
2006098848.tif 000005
【図４】
2006098848.tif 000006